(57)【要約】【課題】装置の大型化を回避しつつ、香りの持続性を向上させることが可能な香料保持部材及び香り提供装置を提供する。【解決手段】香料保持部材は、本体部の内部に設けられて香料を保持する保持空間と、保持空間を本体部の外部に開放する第１の開口部及び第２の開口部と、を備え、保持空間、第１の開口部、及び第２の開口部が通風流路を構成する。【選択図】図８
2018003218.tif 000002
【特許請求の範囲】
【請求項１】
本体部の内部に設けられて香料を保持する保持空間と、
前記保持空間を前記本体部の外部に開放する第１の開口部及び第２の開口部と、
を備え、
前記保持空間、前記第１の開口部、及び前記第２の開口部が通風流路を構成する香料保持部材。
【請求項２】
前記保持空間は、直径が３，０００μｍ以下の区分領域を有する、請求項１に記載の香料保持部材。
【請求項３】
前記保持空間は、直径が１，０００μｍ以下の区分領域を有する、請求項２に記載の香料保持部材。
【請求項４】
前記保持空間は、それぞれ直径が３，０００μｍ以下の複数の区分領域が結合されて構成される、請求項１に記載の香料保持部材。
【請求項５】
前記複数の流路構造は、直径が１，０００μｍ以下の区分領域を少なくとも１つ含む、請求項４に記載の香料保持部材。
【請求項６】
前記保持空間は、通風時の圧力損失が異なる複数の区分領域を有する、請求項１に記載の香料保持部材。
【請求項７】
前記圧力損失が異なる前記複数の区分領域は、通風の流れに対して並列に設けられる、請求項６に記載の香料保持部材。
【請求項８】
前記複数の区分領域は、少なくとも１つの区分領域内に、前記通風流路の表面積を増加させるための表面増加部を有することにより前記圧力損失が異なる、請求項６に記載の香料保持部材。
【請求項９】
前記表面増加部は、前記区分領域の所定の軸回りに回転対称となる構造部、前記区分領域の所定の軸方向に並進対称となる構造部、又は、前記区分領域の所定の軸方向に鏡映対称となる構造部を有する、請求項８に記載の香料保持部材。
【請求項１０】
前記表面増加部は、前記区分領域の所定の軸で交差するクロス状の構造部を含む、請求項８に記載の香料保持部材。
【請求項１１】
前記複数の区分領域は、流路断面積が異なることにより前記圧力損失が異なる、請求項６に記載の香料保持部材。
【請求項１２】
前記本体部が有機高分子材料からなり、前記香料が前記本体部に浸潤して保持される、請求項１に記載の香料保持部材。
【請求項１３】
前記保持空間、前記第１の開口部、及び前記第２の開口部により構成される前記通風流路を複数備え、
複数の前記第１の開口部又は前記第２の開口部の少なくとも一方が、前記香料保持部材の所定の中心軸の周りに等間隔に配置される、請求項１に記載の香料保持部材。
【請求項１４】
複数の前記第１の開口部又は前記第２の開口部の少なくとも一方が、前記香料保持部材の前記所定の中心軸の軸方向の両端面に配置される、請求項１３に記載の香料保持部材。
【請求項１５】
前記第１の開口部又は前記第２の開口部を封止する封止部材を備える、請求項１に記載の香料保持部材。
【請求項１６】
本体部の内部に設けられて香料を保持する保持空間と、前記保持空間を前記本体部の外部に開放する第１の開口部及び第２の開口部と、により構成される通風流路を有する香料保持部材と、
前記通風流路へ空気を供給する送風源と、
を備える香り提供装置。
【発明の詳細な説明】
【技術分野】
【０００１】
本開示は、香料保持部材及び香り提供装置に関する。
【背景技術】
【０００２】
従来、香りを提供する香り提供装置に関する技術が提案されている。例えば、特許文献１には、香料保持体が格納された格納装置に空気を供給し、気化した香料を空気の流れによって放出させることにより香りを提供する技術が提案されている（例えば、特許文献１参照。）。
【先行技術文献】
【特許文献】
【０００３】
【特許文献１】特開２０１４−６７２９３号公報
【発明の概要】
【発明が解決しようとする課題】
【０００４】
ここで、従来の技術では、香りの持続性を向上させるために香料の量を増加させた場合、香料を保持する部材を大型化する必要が生じ得る。香料を保持する部材を大型化した場合、香りを提供する装置自体が大型化するおそれがある。香り提供装置においては、装置の大型化を回避しつつ、香りの持続性をより向上させることが望ましい。【０００５】
そこで、本開示では、装置の大型化を回避しつつ、香りの持続性を向上させることが可能な、新規かつ改良された香料保持部材及び香り提供装置を提案する。
【課題を解決するための手段】
【０００６】
本開示によれば、本体部の内部に設けられて香料を保持する保持空間と、保持空間を本体部の外部に開放する第１の開口部及び第２の開口部と、を備え、保持空間、第１の開口部、及び第２の開口部が通風流路を構成する香料保持部材が提供される。【０００７】
また、本開示によれば、本体部の内部に設けられて香料を保持する保持空間と、保持空間を本体部の外部に開放する第１の開口部及び第２の開口部と、により構成される通風流路を有する香料保持部材と、通風流路へ空気を供給する送風源と、を備える香り提供装置が提供される。
【発明の効果】
【０００８】
以上説明したように本開示によれば、装置の大型化を回避しつつ、香りの持続性を向上させることが可能である。【０００９】
なお、上記の効果は必ずしも限定的なものではなく、上記の効果とともに、又は上記の効果に代えて、本明細書に示されたいずれかの効果又は本明細書から把握され得る他の効果が奏されてもよい。
【図面の簡単な説明】
【００１０】
【図１】本開示の実施の形態に係る香り提供装置の一例を示す斜視図である。
【図２】同実施形態に係る香り提供装置の分解斜視図である。
【図３】同実施形態に係る香り提供装置の軸方向断面図である。
【図４】同実施形態に係る香り提供装置のシステム構成の一例を示すブロック図である。
【図５】同実施形態に係る香り提供装置のシステム構成の他の例を示すブロック図である。
【図６】同実施形態に係る香料カートリッジの構成の一例を示す斜視図である。
【図７】同実施形態に係る香料カートリッジを軸方向に見た正面図である。
【図８】図７の香料カートリッジのＡ−Ａ断面を含む斜視図である。
【図９】図６の香料カートリッジのＢ−Ｂ断面図である。
【図１０】同実施形態に係る香料カートリッジの保持空間の構成を示す斜視図である。
【図１１】図７の香料カートリッジの通風流路のＣ−Ｃ断面図である。
【図１２】第１の変形例に係る香料カートリッジの斜視図である。
【図１３】第１の変形例に係る香料カートリッジを径方向に見た側面図である。
【図１４】第１の変形例に係る香料カートリッジを軸方向に見た側面図である。
【図１５】第１の変形例に係る香料カートリッジの通風流路の構成について説明するための模式図である。
【図１６】第２の変形例に係る香料カートリッジの斜視図である。
【図１７】第２の変形例に係る香料カートリッジを径方向に見た側面図である。
【図１８】第２の変形例に係る香料カートリッジを軸方向に見た側面図である。
【図１９】第２の変形例に係る香料カートリッジの通風流路の構成について説明するための模式図である。
【図２０】第３の変形例に係る香料カートリッジの斜視図である。
【図２１】第３の変形例に係る香料カートリッジを径方向に見た側面図である。
【図２２】第３の変形例に係る香料カートリッジを軸方向に見た側面図である。
【図２３】第３の変形例に係る香料カートリッジの通風流路の構成について説明するための模式図である。
【図２４】第４の変形例に係る香料カートリッジの斜視図である。
【図２５】第４の変形例に係る香料カートリッジを径方向に見た側面図である。
【図２６】第４の変形例に係る香料カートリッジを軸方向に見た側面図である。
【図２７】第４の変形例に係る香料カートリッジの通風流路の構成について説明するための模式図である。
【図２８】第５の変形例を適用した香料カートリッジの構成の一例を示す斜視図である。
【図２９】封止部材の別の構成例について説明するための斜視図である。
【図３０】第６の変形例を適用した香料カートリッジの構成の一例を示す斜視図である。
【図３１】第７の変形例を適用した香料カートリッジの構成の一例を示す斜視図である。
【図３２】第８の変形例を適用した香料カートリッジの構成の一例を示す斜視図である。
【図３３】撥油性構造の一例を示す説明図である。
【図３４】撥油性構造の別の例を示す説明図である。
【図３５】撥油性構造の別の例を示す説明図である。
【図３６】香料が漏出する様子を示す説明図である。
【図３７】香料漏出防止構造の一例を示す説明図である。
【図３８】香料漏出防止構造の別の例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．香り提供装置
２．香料保持部材（香料カートリッジ）
３．変形例
４．カバー及び保持部の保護構造
５．香料漏出防止構造
【００１３】
＜１．香り提供装置＞
図１〜図３を参照して、本開示の実施の形態に係る香り提供装置１について説明する。図１は、香り提供装置１を示す斜視図であり、図２は、香り提供装置１の分解斜視図であり、図３は、香り提供装置１の軸方向断面図である。なお、以下の説明において、香り提供装置１のうち、香料保持部材２００が配置された方向を前方側といい、ベース部７００が配置された方向を後方側という。
【００１４】
本実施形態に係る香り提供装置１は、カバー１００と、香料保持部材としての香料カートリッジ２００と、カートリッジケース３００と、プリズム部５００と、回転操作部６００と、ベース部７００とを備える。かかる香り提供装置１は、香料カートリッジ２００に設けられた複数の通風流路２１０から選択される所望の通風流路２１０に空気を流し、それぞれの通風流路２１０の内周面に保持された香料を気化させつつ放出させる装置となっている。例えば、香り提供装置１では、香料カートリッジ２００の通風流路２１０に、図示しないエアポンプにより供給される空気を流すことにより、湿潤状態の香料が気化し、空気とともに通風流路２１０から放出される。
【００１５】
かかる香り提供装置１は、例えば、限られた範囲に香りを放出する装置として用いられ得る。例えば、ユーザが、自らの顔の近くで１回あるいは複数回香りを放出させ、気分をリラックスさせるように、香り提供装置１が用いられてもよい。この場合、本実施形態に係る香り提供装置１は、香りを広範囲に拡散させることがないため、周囲の人に香りを感知させにくくすることができる。
【００１６】
カートリッジケース３００は、軸方向両端のうち、後方側の端部が開口した円筒状の外形を有する。カードリッジケース３００は、内部に、香料カートリッジ２００を保持する。カートリッジケース３００は、前方側の端面に、軸心を中心とする円形の開口部３３０を有する。また、カートリッジケース３００は、開口部３３０の周囲に、香料カートリッジ２００の通風流路２１０とそれぞれ連通する孔３１０を有する。
【００１７】
カートリッジケース３００の内周面には軸方向に沿って延びる係止突部３４０が設けられている（図３を参照。）。かかる係止突部３４０は、香料カートリッジ２００がカートリッジケース３００に挿入された際に、香料カートリッジ２００の外周面に設けられた係止溝２４０に係合する（図３を参照。）。これにより、香料カートリッジ２００とカートリッジケース３００とが位置決めされ、通風流路２１０と孔３１０とが連通する。係止突部がカートリッジケース３００に設けられ、係止溝が香料カートリッジ２００に設けられてもよい。
【００１８】
また、カートリッジケース３００は、後方側の端部に、複数のツメ部３４１を有する（図２を参照。）。ツメ部３４１は、カートリッジケース３００の後方側の端部の位置を部分的に軸方向にずらすことによって、等間隔で形成されている。
【００１９】
香料カートリッジ２００は、円筒形状を有する。香料カートリッジ２００には、送風源の一例であるエアポンプから供給される空気が通過する複数の通風流路２１０が設けられる。通風流路２１０には、香料が湿潤状態で保持される。香料は、通風流路２１０の内表面に付着した状態で保持される。香料は、例えば、精油、あるいは、エタノールで希釈された精油等であってもよい。通風流路２１０は１つであってもよく、あるいは複数であってもよい。本実施形態に係る香り提供装置１では、５つの通風流路２１０を有する香料カートリッジ２００が用いられる。香料カートリッジ２００については後で詳細に説明する。
【００２０】
保持部４００は、軸方向両端のうち、前方側の端部が開口した円筒状の外形を有する。保持部４００は、カートリッジケース３００の後方側を保持する。保持部４００は、後方側の端面に、軸心を中心とする円形の開口部４３０を有する（図３を参照。）。また、保持部４００は、開口部４３０の周囲に、香料カートリッジ２００の通風流路２１０とそれぞれ連通する孔４１０を有する（図３を参照。）。
【００２１】
保持部４００の前方側の開口にはカートリッジケース３００の後端が挿入される。保持部４００は、内周面に、カートリッジケース３００のツメ部３４１が配置される複数の受容凹部４４１を有する。受容凹部４４１の数は、ツメ部３４１の数に対応している。ツメ部３４１及び受容凹部４４１の数は、香料カートリッジ２００の通風流路２１０の数に一致している。これにより、香料カートリッジ２００を保持したカートリッジケース３００を任意の回転位相で保持部４００に保持させることにより、複数の通風流路２１０が保持部４００の孔４１０に連通する。
【００２２】
カートリッジケース３００の外側には、カバー１００が装着される。カバー１００は、軸方向両端のうち、後方側の端部が開口した円筒状の外形を有する。カバー１００は、前方側の端面に、香料カートリッジ２００の複数の通風流路２１０のうちいずれか１つと連通し得る香り放出口１１２を有する。香料カートリッジ２００のいずれかの通風流路２１０を通過し、気化した香料の成分を含む空気が、当該香り放出口１１２を介して外部に放出される。香り放出口１１２の内径は特に限定されないが、香料カートリッジ２００の通風流路２１０を流れる空気の流れを妨げないためには、香り放出口１１２の内径が、少なくとも通風流路２１０の内径以上であってもよい。
【００２３】
カバー１００は、前方側の端面の内側面から軸方向に延びる固定軸１１４を備える（図３を参照。）。固定軸１１４は、カートリッジケース３００の開口部３３０及び香料カートリッジ２００の軸方向孔２３０内に挿通される。カバー１００は、固定軸１１４を回転軸として、香料カートリッジ２００を保持するカートリッジケース３００に対して相対回転可能になっており、相対位置によって、香り放出口１１２に連通する通風流路２１０が切り替えられる。固定軸１１４の先端には、軸心に沿って切断した半体からなる図示しない係合部が設けられている。かかる係合部は、ベース部７００の固定軸７６０と嵌合され、かつ、取付及び取外しが可能な形状であればよく、上記の形状に限られない（図３を参照。）。
【００２４】
回転操作部６００は、カバー１００、カートリッジケース３００、香料カートリッジ２００及び保持部４００のさらに外周に配置される。回転操作部６００は、外周筒部６１０と、錘状部６２０と、内周筒部６３０とを有する。内周筒部６３０は、内周面に係止突部６３６を有する。外周筒部６１０と内周筒部６３０とは、錘状部６２０を介して接続されている。錘状部６２０の大径側端部は、外周筒部６１０の内周面のうちの軸方向の中央部に接続されている。また、錘状部６２０の小径側端部は、内周筒部６３０の前方側端部に接続されている。錘状部６２０の前方側の空間にはプリズム部５００が配置されている。プリズム部５００は、軸心を中心とする軸方向孔５３０を有する。軸方向孔５３０には、カバー１００、カートリッジケース３００及び香料カートリッジ２００が配置される。
【００２５】
回転操作部６００の内周筒部６３０の内部に、カバー１００、カートリッジケース３００、香料カートリッジ２００及び保持部４００が挿入される。このとき、保持部４００の外周面に設けられた複数の係止溝部４４０のいずれかに、内周筒部６３０の係止突部６３６が配置される。これにより、保持部４００、及び、保持部４００に保持されたカートリッジケース３００及び香料カートリッジ２００が、回転操作部６００と一体的に回転可能になっている。また、カバー１００は、カートリッジケース３００、香料カートリッジ２００及び保持部４００とは相対回転可能であることから、回転操作部６００とカバー１００も相対回転可能になっている。
【００２６】
回転操作部６００、カバー１００、香料カートリッジ２００、カートリッジケース３００及び保持部４００等は、ベース部７００に支持される。ベース部７００は、前方側の面の中央部に、回転操作部６００の内周筒部６３０が挿入される、断面円形の凹部７４０を有する。また、ベース部７００は、前方側の面の外縁部に、回転操作部６００の外周筒部６１０が配置される、環状の段差部７２５を有する。段差部７２５に外周筒部６１０が配置され、凹部７４０に回転操作部６００の内周筒部６３０が配置され、さらに、内周筒部６３０の内側に、保持部４００、香料カートリッジ２００等が配置される。
【００２７】
ベース部７００は、凹部７４０の底面に立設し、前方側に延びる固定軸７６０を有する。固定軸７６０は、保持部４００の開口部４３０及び香料カートリッジ２００の軸方向孔２３０内に挿通される。例えば、固定軸７６０は香料カートリッジ２００の軸方向孔２３０に軽圧入され、これにより、回転操作部６００、カバー１００、香料カートリッジ２００、カートリッジケース３００及び保持部４００等がベース部７００に支持される。
【００２８】
固定軸７６０の先端には、軸心に沿って切断した半体からなる図示しない係合部が設けられている。固定軸７６０の係合部は、香料カートリッジ２００の軸方向孔２３０内において、カバー１００の固定軸１１４の先端の係合部に対して、１８０°軸回転した状態で嵌め合わされる。これにより、カバー１００とベース部７００との相対回転が不可能になる。これにより、回転操作部６００、香料カートリッジ２００、カートリッジケース３００及び保持部４００がベース部７００に対して相対回転可能になる。ただし、カバー１００の係合部と同様に、係合部は、カバー１００の固定軸１１４と嵌合され、かつ、取付及び取外しが可能な形状であればよく、上記の形状に限られない。
【００２９】
また、ベース部７００は、凹部７４０の底面に空気の供給口７５０を有する。ベース部７００は、内部に、図示しないエアポンプ、バッテリ及び回路基板等を備える。エアポンプは送風源の一態様であり、バッテリから供給される電力によって駆動されて、空気の供給口７５０に空気を導入する。エアポンプは、例えば、圧電素子に対して交流電流を供給することによりダイヤフラムを変形させて、空気の吸引及び圧送を行う、ダイヤフラム式のポンプであってもよい。バッテリは、放電のみが行われ交換可能にされた電池でもよいし、充放電可能にされた二次電池であってもよい。エアポンプの駆動のオンオフは、スイッチ操作部７３０を操作することにより行われる。例えば、スイッチ操作部７３０を押すことによって、回路基板のスイッチング素子が電気的に接続され、バッテリからエアポンプへと電力が供給される。これにより、空気の供給口７５０を介して香料カートリッジ２００へと空気が供給される。
【００３０】
例えば、スイッチ操作部７３０の押下を繰り返すごとに、通電のオンオフが切り替わるようになっていてもよく、スイッチ操作部７３０を押下している間、通電がオンの状態で維持されるようになっていてもよい。回路基板上には、香り提供装置１の作動状態を示す、ＬＥＤ（Ｌｉｇｈｔ  Ｅｍｉｔｔｉｎｇ  Ｄｉｏｄｅ）等の光源に例示されるような他の電子部品が実装されていてもよい。また、香り提供装置１を、リモートコントローラやスマートホン等により操作可能にするには、回路基板上に通信装置が実装されていてもよい。
【００３１】
なお、香料カートリッジ２００に向けて空気を供給する送風器はエアポンプに限られず、例えば、ファンを回転させる形式の送風器であってもよい。また、香料カートリッジ２００に向けて空気を供給する送風器は、電動式のものでなくてもよく、手動式のものでもよい。空気を供給する手段を手動式のものとした場合、バッテリ、スイッチ操作部７３０及び回路基板が省略されていてもよい。
【００３２】
また、凹部７４０の底面には、位置決め用の突部７７０が設けられている。かかる突部７７０は、回転操作部６００の係止突部６３６が配置される保持部４００の係止溝部４４０に係止される。保持部４００の外周面には、香料カートリッジ２００の通風流路２１０の数と同数の係止溝部４４０が等間隔で設けられている。突部７７０がいずれかの係止溝部４４０に係止される状態で、いずれかの通風流路２１０が空気の供給口７５０に連通する。したがって、回転操作部６００を回転させることによって、空気の供給口７５０に連通する通風流路２１０が切り替えられる。
【００３３】
かかる突部７７０は、ばね等によって前方側に付勢されていてもよい。すなわち、香料カートリッジ２００を回転させている間は、ばねが縮む等により突部７７０が後退し、いずれかの係止溝部４４０が突部７７０の位置に一致したときに、突部７７０が係止溝部４４０側に突き出るようになっていてもよい。これにより、ベース部７００と保持部４００等との距離を変えることなく、保持部４００や回転操作部６００等を回転させることができる。
【００３４】
図４は、香り提供装置１のシステム構成の一例を示すブロック図である。バッテリ８１０は、回路基板８２０及びスイッチング素子８３０を介して、エアポンプ８４０と電気的に接続されている。スイッチ操作部７３０の操作に応じて、バッテリ８１０の電力がエアポンプ８４０に供給される。エアポンプ８４０が駆動され、香料カートリッジ２００の通風流路２１０に空気が流されると、通風流路２１０の内面に保持された香料が気化し、空気とともに香りが放出される。また、図１８の例では、回転操作部６００が手動で回転させられ、エアポンプ８４０から供給される空気が導入される香料カートリッジ２００の通風流路２１０が切り替え可能になっている。
【００３５】
図５は、別の香り提供装置１Ａのシステム構成を示すブロック図である。図５に示す例では、回転操作部６００、カートリッジケース３００又は保持部４００がモータ８５０により回転させられ、エアポンプ８４０から供給される空気が導入される香料カートリッジ２００の通風流路２１０が切り替え可能になっている。
【００３６】
＜２．香料保持部材（香料カートリッジ）＞
次に、図６〜図１１を参照して、上記の香り提供装置１で使用され得る香料保持部材としての香料カートリッジ２００について説明する。図６は、香料カートリッジ２００の斜視図を示し、図７は、香料カートリッジ２００を径方向に見た側面図を示す。また、図８は、図７のＡ−Ａ断面を含む香料カートリッジ２００の斜視図であり、図９は、図６のＢ−Ｂ断面を示す。また、図１０は、保持空間２５０を示す斜視図であり、図１１は、通風流路２１０の構成を説明するための模式図であって、図７のＣ−Ｃ断面上の通風流路２１０をる。
【００３７】
香料カートリッジ２００は、本体部２０２と、軸方向孔２３０と、複数の通風流路２１０とを有する。本体部２０２は、円筒状の外形を有する。本体部２０２には、軸心を中心とする軸方向孔２３０が設けられている。軸方向孔２３０は、カバー１００及びベース部７００の装着時のガイドとして利用され得る。なお、香料カートリッジ２００の外形は円筒状に限られない。例えば、香料カートリッジ２００の外形は、円柱、直方体、立方体、その他の適宜の形状とすることができる。
【００３８】
それぞれの通風流路２１０の内面の少なくとも一部には、例えば、精油、あるいは、精油をエタノールで希釈した液体の香料が湿潤状態で付着して保持される。例えば、液体の香料が通風流路２１０内に充填された後、空気等の高圧のガスを通風流路２１０内に所定時間供給することで、余剰の液体の香料が噴き出されて通風流路２１０の内表面に湿潤状態で香料を付着させることができる。本実施形態に係る香料カートリッジ２００は、通風流路２１０内に液体の香料が充填されるものではなく、香料カートリッジ２００から液体の香料が漏れ出るおそれがない。
【００３９】
通風流路２１０は、本体部２０２の軸心の周りに等間隔で配置されている。これにより、香料カートリッジ２００を一定の回転角度で軸回転させることにより、空気を流す通風流路２１０の切り替えが可能になっている。各通風流路２１０に保持される香料は、すべて同一であってもよいし、一部あるいは全部が異なってもよい。各通風流路２１０にすべて同一の香料が保持される場合には、ユーザのお気に入りの香りを長期間にわたって楽しむことができる。また、各通風流路２１０に異なる香料が保持される場合には、空気を供給可能な通風流路２１０を切り替えることによって、放出させる香りを切り替えることができる。したがって、例えば、気分によって香りを切り替えることができる。
【００４０】
本実施形態に係る香料カートリッジ２００では、５つの通風流路２１０が６０°等間隔で配置される一方、１つの通風流路が省力されている。通風流路の形成が省略された部分２１１は、香り提供装置１を使用しない間にカバー１００の香り放出口１１２に位置合わせされて、香料カートリッジ２００から香りが逃げ出さないようにされる。なお、通風流路２１０の数は、５個に限られない。
【００４１】
香料カートリッジ２００の本体部２０２は、例えば、精油等からなる香料が浸潤しやすいように、有機高分子材料により構成され得る。かかる有機高分子材料としては、例えば、ポリ塩化ビニル、ポリエチレン、フェノール樹脂、オレフィン樹脂、ナイロン、ポリエステル、合成ゴム、シリコン樹脂、天然ゴム、タンパク質、核酸、脂質、多糖類のうちのいずれか１つ、あるいは、混合物が用いられ得る。ただし、本体部２０２は、上記の例に限られない。例えば、アクリル樹脂、ウレタン樹脂、ＡＢＳ樹脂、ポリエーテルエーテルケトン（ＰＥＥＫ）樹脂、ポリアセタール（ＰＯＭ）樹脂、フッ素樹脂、シクロオレフィンポリマー樹脂、ポリイミド樹脂等の高分子樹脂や、ステンレス、アルミニウム等の金属、石英等の無機結晶、又はガラスのうちの一種又は複数の材料が用いられてもよい。
【００４２】
なお、香料カートリッジ２００は、例えば３Ｄプリンタを用いて製造することができ、香料カートリッジ２００の構成材料として、３Ｄプリンタに適した材料が選択されてもよい。
【００４３】
香料カートリッジ２００は、本体部２０２の外周面に係止溝２４０を有する。かかる係止溝２４０は、カートリッジケース３００の内周面に設けられた係止突部３４０とともに、カートリッジケース３００と香料カートリッジ２００との位置決めに用いられる。また、係止溝２４０と係止突部３４０とが嵌まり合うことにより、カートリッジケース３００と香料カートリッジ２００との相対回転が不可能になって、カートリッジケース３００及び香料カートリッジ２００を一体として回転させることができる。
【００４４】
それぞれの通風流路２１０は、本体部２０２の内部に設けられた保持空間２５０と、保持空間２５０を本体部２０２の外部に開放する第１の開口部２１３及び第２の開口部２１４とを有する。香料の大部分は、主として保持空間２５０の内表面に湿潤状態で付着して保持される。第１の開口部２１３及び第２の開口部２１４は、それぞれ本体部２０２の軸方向の両端面に形成されている。第１の開口部２１３は、保持空間２５０内に空気を導入させるための導入口であり、第２の開口部２１４は、保持空間２５０から香り成分を含む空気を導出させるための導出口である。第１の開口部２１３又は第２の開口部２１４の少なくとも１つが、本体部２０２の外周面上に設けられてもよい。
【００４５】
本実施形態に係る香料カートリッジ２００では、香料が通風流路２１０の内周面に湿潤状態で保持されるため、第１の開口部２１３及び第２の開口部２１４は、液体の香料の漏出を妨げ得る機能を有することを要しない。また、第１の開口部２１３又は第２の開口部２１４のいずれか一方の内径が小さすぎると、通風流路２１０に空気を流す際の圧力損失が大きくなるおそれがある。このため、第１の開口部２１３及び第２の開口部２１４の内径は、例えば、５００〜３，０００μｍの範囲内とすることができる。
【００４６】
また、通風流路２１０を構成する保持空間２５０は、香料が付着される表面の面積が大きくなるように造形されている。本実施形態に係る香料カートリッジ２００では、保持空間２５０は、直径が３，０００μｍ以下の複数の区分領域２５１，２５３，２５５が結合されて構成されている（図８〜図１０を参照。）。流路の断面の内径が数十〜数百μｍの流路は、「マイクロ流路」とも呼ばれる。各区分領域２５１，２５３，２５５の内径が小さいほど、各区分領域２５１，２５３，２５５内における空気の流れに乱流が発生しにくくなり、空気の流れは層流になりやすくなる。
【００４７】
また、エアポンプの出力が一定である場合において、各区分領域２５１，２５３，２５５の内径が小さいほど、通風流路２１０内での空気の流速は速くなる。これにより、本実施形態に係る香り提供装置１では、香り放出口１１２から放出される香り成分を含む空気の直進性が向上される。したがって、香り提供装置１のユーザに向けて香り成分を含む空気を吐出させることによって、ユーザの周囲へ影響を与えることなくユーザは香りの提供を受けることができる。
【００４８】
また、このような内径を有する区分領域２５１，２５３，２５５は、その内表面に液体の香料を湿潤状態で付着させて保持させることで、少量の香料を安定的に保持することができる。したがって、使用時において、香料を都度滴下することなく、香料カートリッジ２００の使用期間を延ばすことができる。
【００４９】
また、比較的小さい内径の区分領域２５１，２５３，２５５を結合した保持空間２５０であれば、保持空間２５０の体積に対する表面積の割合を高くすることができ、少量の香料で、高濃度の香料を気化させて空気とともに放出させることができる。さらに、比較的小さい内径の区分領域２５１，２５３，２５５を結合した保持空間２５０であれば、香料カートリッジ２００に複数の通風流路２１０が形成される場合であっても、香料カートリッジ２００の外形を小さくすることができ、香料カートリッジ２００の持ち運び、ひいては、香り提供装置１の持ち運びを容易にすることができる。
【００５０】
図９〜図１１を参照して、保持空間２５０の構成例について具体的に説明する。香料カートリッジ２００の周方向断面に現れる保持空間２５０の形状は、略長丸状になっている。かかる略長丸状の保持空間２５０が、香料カートリッジ２００の軸方向に沿って延びる３つの区分領域２５１，２５３，２５５に区分されている。つまり、３つの区分領域２５１，２５３，２５５は、香料カートリッジ２００の軸方向に沿って並列に配置されている。このうちの第１の区分領域２５１の延長上に、第１の開口部２１３及び第２の開口部２１４が設けられている。
【００５１】
第１の区分領域２５１は、保持空間２５０の長丸状断面の長手方向の一端側に位置する。第１の区分領域２５１は、軸方向に沿って配列された複数のリング状表面増加部２６１を有する。リング状表面増加部２６１は、保持空間２５０の内表面の面積を増加させるための構造部であり、一部において保持空間２５０の内面に連結されている。
【００５２】
第２の区分領域２５３は、保持空間２５０の長丸状断面の長手方向の中央に位置する。第２の区分領域２５３は、軸方向に沿って配列された複数のリング状表面増加部２６２と、それぞれのリング状表面増加部２６２の内周部に形成された複数のクロス状表面増加部２６４とを有する。第２の区分領域２５３のリング状表面増加部２６２は、一部において保持空間２５０の内面に連結され、他の一部は、第１の区分領域２５１のリング状表面増加部２６１と一体化されている。
【００５３】
また、クロス状表面増加部２６４は、例えば、香料カートリッジ２００の軸線に直交する断面に沿って形成され、４本の単位辺が第２の区分領域２５３の略中心で交差するように構成されている。かかるクロス状表面増加部２６４は、第２の区分領域２５３の軸心から径方向に延びる単位辺を所定の回転角度（例えば９０°）で回転させた複数の単位辺により構成され得る。各単位辺の端部は、リング状表面増加部２６２の内周面に連結されている。
【００５４】
軸方向に沿って配列されたリング状表面増加部２６２及びクロス状表面増加部２６４の間隔は、第１の区分領域２５１のリング状表面増加部２６１の間隔と同一となっている。このため、第１の区分領域２５１において軸方向に配列された隣り合うリング状表面増加部２６１の間隙と、第２の区分領域２５３において軸方向に配列された隣り合うリング状表面増加部２６２の間隙とは、連通している。
【００５５】
第３の区分領域２５５は、保持空間２５０の長丸状断面の長手方向の他端側に位置する。第３の区分領域２５５は、第２の区分領域２５３と同様に、軸方向に沿って配列された複数のリング状表面増加部２６３と、それぞれのリング状表面増加部２６３の内周部に形成された複数のクロス状表面増加部２６５とを有する。第３の区分領域２５５のリング状表面増加部２６３は、一部において保持空間２５０の内面に連結され、他の一部は、第２の区分領域２５３のリング状表面増加部２６２と一体化されている。また、クロス状表面増加部２６５の各単位辺の端部は、リング状表面増加部２６３の内周面に連結されている。
【００５６】
軸方向に沿って配列されたリング状表面増加部２６３及びクロス状表面増加部２６５の間隔は、第１の区分領域２５１のリング状表面増加部２６１、あるいは、第２の区分領域２５３のリング状表面増加部２６２及びクロス状表面増加部２６４の間隔と同一となっている。このため、第２の区分領域２５３において軸方向に配列された隣り合うリング状表面増加部２６２の間隙と、第３の区分領域２５５において軸方向に配列された隣り合うリング状表面増加部２６３の間隙とは、連通している。
【００５７】
例えば、それぞれのリング状表面増加部２６１，２６２，２６３又はクロス状表面増加部２６４，２６５の幅（軸方向の長さ）は、５〜１，０００μｍとすることができる。また、それぞれのリング状表面増加部２６１，２６２，２６３又はクロス状表面増加部２６４，２６５の厚さ（軸方向に直交する方向の長さ）は、５〜５００μｍとすることができる。
【００５８】
これらのリング状表面増加部２６１，２６２，２６３及びクロス状表面増加部２６４，２６５は、流束を妨げないように空気が通過する空間を確保しつつ、保持空間２５０の内面の表面積を増加させることができる。したがって、液体の香料が表面に付着し、その濡れ性や表面張力、界面における化学的な相互作用によって、重力や空気の流れに逆らって、通風流路２１０の内部に湿潤状態で保持される香料の量を増加させることができる。したがって、香料カートリッジ２００の使用期間を延ばすことができる。本実施形態に係る香料カートリッジ２００では、第２の区分領域２５３及び第３の区分領域２５５内の表面積が、第１の区分領域２５１内の表面積よりも大きいために、第２の区分領域２５３及び第３の区分領域２５５は、それぞれ第１の区分領域２５１よりも多くの香料を保持することができる。
【００５９】
また、本実施形態に係る香料カートリッジ２００においては、第１の区分領域２５１全体の容積に対するリング状表面増加部２６１の体積の比率が、第２の区分領域２５３全体の容積に対するリング状表面増加部２６２及びクロス状表面増加部２６４の体積の比率よりも小さい。また、第２の区分領域２５３全体の容積に対するリング状表面増加部２６２及びクロス状表面増加部２６４の体積の比率と、第３の区分領域２５５全体の容積に対するリング状表面増加部２６３及びクロス状表面増加部２６５の体積の比率とは同程度になっている。このため、区分領域２５１，２５３，２５５ごとに、空気が通過する際の圧力損失が異なる。
【００６０】
具体的に、第１の区分領域２５１は、第２の区分領域２５３及び第３の区分領域２５５よりも、空気が通過する際の圧力損失が小さい。したがって、第１の区分領域２５１は、第２の区分領域２５３及び第３の区分領域２５５に比べて空気が通過しやすくなっている。このため、第１の開口部２１３を介して通風流路２１０に導入された空気の一部あるいは全部が第２の区分領域２５３及び第３の区分領域２５５を通過しつつ、圧力損失の小さい第１の区分領域２５１に戻されながら、第２の開口部２１４を介して導出される。空気中の香り成分の濃度を高めることができる。
【００６１】
また、第１の区分領域２５１、第２の区分領域２５３、及び第３の区分領域２５５は複数個所で連通しており、保持空間２５０全体としての断面積が著しく小さくなる部分は存在しない。このため、保持空間２５０を通過する空気の圧力損失が小さく抑えられている。さらに、保持空間２５０を本体部２０２の外部に連通する第１の開口部２１３及び第２の開口部２１４の内径も比較的大きく形成され得る。したがって、高濃度の香り成分を含む空気の流量を確保することができ、効率的に香りを放出させることができる。
【００６２】
通風流路２１０は、香料カートリッジ２００の軸方向に沿って真っ直ぐに設けられてもよいし、軸方向から傾けて設けられてもよい。ただし、第１の開口部２１３から第２の開口部２１４までの流路長が長すぎると、通過する空気の圧力損失が大きくなる場合があるため、通風流路２１０は、できるだけ香料カートリッジ２００の軸方向に沿って真っ直ぐ設けられるとよい。
【００６３】
なお、本実施形態に係る香料カートリッジ２００では、５つの通風流路２１０のそれぞれの保持空間２５０内に形成されたクロス状表面増加部の各単位辺の延在方向がすべて同一となっているが、かかる単位辺の延在方向は、通風流路２１０ごとに、あるいは、区分領域ごとに異なっていてもよい。また、本実施形態に係る香料カートリッジ２００では、クロス状表面増加部２６４，２６５は４つの単位辺により十字状に構成されているが、単位辺の数は４つに限られない。例えば、８つの単位辺が４５°の回転角度ごとに設ける等、適宜の数の単位辺を等間隔、あるいは、適宜の間隔で回転させたクロス状表面増加部であってもよい。
【００６４】
これらの表面増加部は、流束を妨げないように、空気が通過する空間を維持しつつ、通風流路２１０の内面の表面積を増加させることができる。したがって、液体の香料が表面に付着し、その濡れ性や表面張力、界面における化学的な相互作用によって、重力や空気の流れに逆らって、通風流路２１０の内部に保持される香料の量を増加させることができる。
【００６５】
通風流路２１０内に形成される表面増加部は、リング状表面増加部及びクロス状表面増加部に限られず、適宜の平面形状であってよい。ただし、表面増加部の平面形状が、各区分領域の軸線を中心とする回転対称あるいは点対称となっていることにより、各区分領域２５１，２５３，２５５内において、香料を均等な密度で保持させることができる。
【００６６】
また、各区分領域２５１，２５３，２５５において、複数の表面増加部を軸方向に配列させる場合、表面増加部が、通風流路２１０の軸方向に並進対称となるように配置されてもよい。さらに、複数の表面増加部を軸方向に配列させる場合、表面増加部は、任意の軸に対して鏡映対称となるように配置されてもよい。ただし、複数の表面増加部は、並進対称又は鏡映対称に配列されていなくてもよく、複数の表面増加部は、空気の流れの圧力損失を著しく増大させることがない限り、任意の形状あるいは配列で設けられ得る。
【００６７】
また、通風流路２１０の第２の開口部２１４の向きは、本体部２０２の軸方向に平行であってもよいし、その他の任意の角度であってもよい。また、通風流路２１０の断面形状は、その内面に液体の香料を付着させて保持することができ、通風流路２１０に空気を流すことができる形態であれば、特に限定されない。通風流路２１０の断面形状は、例えば、円形、楕円形、四角形、長方形、その他の適宜の形状とすることができる。
【００６８】
また、香り提供装置１を、個人で香りを楽しむ装置として利用する場合、放出される香りが広い範囲に拡散しないように、放出される香りの直進性を向上させてもよい。例えば、通風流路２１０が、その内周面に螺旋溝を備えてもよい。通風流路２１０が螺旋溝を有することにより、ジャイロ効果によって、通風流路２１０を流れて放出される空気の直進性を向上させることができる。あるいは、通風流路２１０の出口開口部に、開口端に向けて縮径するテーパ部を設けてもよい。出口開口部が、このようなテーパ部を備えることにより、放出される空気の流速が高められて、直進性を向上させることができる。
【００６９】
このような微小な内径を有する第１の区分領域２５１、第２の区分領域２５３、及び第３の区分領域２５５を含む保持空間２５０、あるいは、第１の開口部２１３及び第２の開口部２１４は、例えば、３Ｄプリンタを用いて積層造形法によって形成され得る。このため、各区分領域２５１，２５３，２５５又は第１の開口部２１３，２１４の内径、あるいは、表面増加部の構成部分がマイクロ単位の微小な寸法を有する場合であっても、香料カートリッジ２００を容易に得ることができる。
【００７０】
＜３．変形例＞
以上では、香料カートリッジ２００の一例について説明したが、香料カートリッジ２００における通風流路２１０の構成は係る例に限定されない。以下、異なる態様の通風流路を有する香料カートリッジの変形例の幾つかを説明する。
【００７１】
（３−１．第１の変形例）
図１２〜図１５は、第１の変形例に係る香料カートリッジ１１００の説明図である。図１２は、香料カートリッジ１１００を示す斜視図であり、本体部１１０２内に形成された６つの通風流路１１１０のうちの１つの通風流路１１１０が透過して示されている。また、図１４は、香料カートリッジ１１００を径方向に見た側面図であり、図１５は、香料カートリッジ１１００を軸方向に見た正面図である。また、図１６は、通風流路１１１０の構成を分かりやすく示した模式図である。
【００７２】
香料カートリッジ１１００は、本体部１１０２と、本体部１１０２の軸心を中心とする軸方向孔１１５０と、複数の通風流路１１１０とを有する。第１の変形例に係る香料カートリッジ１１００は、６つの通風流路１１１０を有するが、通風流路１１１０は１つであってもよく、４つ以下あるいは７つ以上であってもよい。第１の変形例に係る香料カートリッジ１１００の通風流路１１１０は、保持空間１１２０と、保持空間１１２０を本体部１１０２の外部に連通する第１の開口部１１１３及び第２の開口部１１１４とを有する。
【００７３】
それぞれの通風流路１１１０において、第１の開口部１１１３及び第２の開口部１１１４は、本体部１１０２の軸方向の両端面に開口している。また、それぞれの保持空間１１２０は、香料カートリッジ１１００の軸方向に沿って形成された第１の区分領域としての主流路１１３０と、複数個所において主流路１１３０に接続された第２の区分領域としての複数の容量部１１３５とを有する。主流路１１３０は、例えば、５００〜３，０００μｍの内径を有していてもよい。
【００７４】
容量部１１３５は、香料カートリッジ１１００の径方向に見たときの平面形状が矢先状を有する。また、容量部１１３５は、香料カートリッジ１１００の軸方向に見たときの平面形状が略楕円形状を有する。図１４に示した例では、容量部１１３５が成す楕円形状は、短軸の長さに対する長軸の長さの比が比較的大きい形状になっている。また、容量部１１３５の両端部側は、香料カートリッジ１１００の軸方向に沿う断面形状が円形となっている（図１５を参照。）。なお、容量部１１３５の形状は、上記の例に限られない。また、図示した例では、通風流路１１１０は４つの容量部１１３５を有するが、容量部１１３５の数は特に限定されない。また、複数の容量部１１３５が軸方向に配置される間隔は均一であってもよいし、不均一であってもよい。
【００７５】
かかる保持空間１１２０は、主流路１１３０を空気が流れる際の圧力損失は小さく、通風流路１１１０に供給された空気は主として主流路を流れる。一方、容量部１１３５は、主流路１１３０との接続部分以外は閉じられた空間となっており、空気が通過しにくくなっている。主流路１１３０を空気が流れる際に、容量部１１３５の内表面に浸潤状態で付着して保持された香料は少しずつ気化し、気化した香り成分が空気の流れに乗って第２の開口部１１１４から外部に放出される。主流路１１３０を流れる空気の一部を容量部１１３５側に入り込みやすくするために、主流路１１３０と容量部１１３５との接続部分の面積が大きくされてもよい。
【００７６】
ここまでに説明した点以外、第１の変形例に係る香料カートリッジ１１００は、上記の実施形態に係る香料カートリッジ２００と同様に構成することができる。
【００７７】
第１の変形例に係る香料カートリッジ１１００においても、通風流路１１１０の保持空間１１２０は、空気が主として通過する主流路１１３０以外に、内表面に香料を湿潤状態で保持可能な容量部１１３５を有する。したがって、通風流路１１１０の内部に湿潤状態で保持される香料の量を増加させることができる。したがって、香料カートリッジ１１００の使用期間を延ばすことができる。また、第１の変形例に係る香料カートリッジ１１００においても、主流路１１３０又は容量部１１３５の少なくとも一方の内部に表面増加部が設けられる場合には、通風流路１１１０に保持される香料の量をさらに増加させることができる。
【００７８】
また、第１の変形例に係る香料カートリッジ１１００は、主流路１１３０、第１の開口部１１１３、及び第２の開口部１１１４の内径が、通風流路１１１０を流れる空気の圧力損失が著しく小さくならないように構成されている。したがって、高濃度の香り成分を含む空気の流量を確保することができ、効率的に香りを放出させることができる。
【００７９】
（３−２．第２の変形例）
図１６〜図１９は、第２の変形例に係る香料カートリッジ１２００の説明図である。図１６は、香料カートリッジ１２００を示す斜視図であり、本体部１２０２内に形成された６つの通風流路１２１０のうちの１つの通風流路１２１０が透過して示されている。また、図１７は、香料カートリッジ１２００を径方向に見た側面図であり、図１８は、香料カートリッジ１２００を軸方向に見た正面図である。また、図１９は、通風流路１２１０の構成を分かりやすく示した模式図である。
【００８０】
香料カートリッジ１２００は、本体部１２０２と、本体部１２０２の軸心を中心とする軸方向孔１２５０と、複数の通風流路１２１０とを有する。第２の変形例に係る香料カートリッジ１２００は、６つの通風流路１２１０を有するが、通風流路１２１０は１つであってもよく、４つ以下あるいは７つ以上であってもよい。通風流路１２１０は、保持空間１２２０と、保持空間１２２０を本体部１２０２の外部に連通する第１の開口部１２１３及び第２の開口部１２１４とを有する。
【００８１】
第２の変形例に係る香料カートリッジ１２００の通風流路１２１０の保持空間１２２０は、第１の変形例に係る香料カートリッジ１１００の保持空間１１２０と同様に構成し得る第１の区分領域としての主流路１２３０と、第２の区分領域としての複数の容量部１２３５とを有する。第２の変形例では、複数の容量部１２３５の両端側が、それぞれ第３の区分領域及び第４の区分領域としての第１の接続流路１１３７及び第２の接続流路１１３９により接続されている。
【００８２】
つまり、それぞれの容量部１１３５の両端のうちの一端部のすべてが、香料カートリッジ１２００の軸方向に延びる第１の接続流路１２３７に連通し、他端部のすべてが、香料カートリッジ１２００の軸方向に延びる第２の接続流路１２３９に連通している。このため、第２の変形例に係る香料カートリッジ１２００では、第１の接続流路１２３７及び第２の接続流路１２３９の内表面にも香料を湿潤状態で保持させることができ、保持される香料の量がさらに増加し得る。
【００８３】
また、第２の変形例に係る香料カートリッジ１２００では、容量部１２３５を介して、主流路１２３０と、第１の接続流路１２３７又は第２の接続流路１２３９との間を空気が行き来することができる。したがって、第２の開口部１２１４から放出される空気中の香り成分の濃度を高くすることができる。また、第２の変形例に係る香料カートリッジ１２００では、第１の変形例に係る香料カートリッジ１１００に比べて、通風流路１２１０を流れる空気の流量を増加させることができ、より効率的に香りを放出させることができる。
【００８４】
（３−３．第３の変形例）
図２０〜図２３は、第３の変形例に係る香料カートリッジ１３００の説明図である。図２０は、香料カートリッジ１３００を示す斜視図であり、本体部１３０２内に形成された６つの通風流路１３１０のうちの１つの通風流路１３１０が透過して示されている。また、図２２は、香料カートリッジ１３００を径方向に見た側面図であり、図２３は、香料カートリッジ１３００を軸方向に見た正面図である。また、図２４は、通風流路１３１０の構成を分かりやすく示した模式図である。
【００８５】
香料カートリッジ１３００は、本体部１３０２と、本体部１３０２の軸心を中心とする軸方向孔１３５０と、複数の通風流路１３１０とを有する。第３の変形例に係る香料カートリッジ１３００は、６つの通風流路１３１０を有するが、通風流路１３１０は１つであってもよく、４つ以下あるいは７つ以上であってもよい。第３の変形例に係る香料カートリッジ１３００の通風流路１３１０は、保持空間１３２０と、保持空間１３２０を本体部１３０２の外部に連通する第１の開口部１３１３及び第２の開口部１３１４とを有する。
【００８６】
それぞれの通風流路１３１０において、第１の開口部１３１３及び第２の開口部１３１４は、本体部１３０２の軸方向の両端面に開口している。また、それぞれの保持空間１３２０は、香料カートリッジ１３００の軸方向に沿って形成された第１の区分領域としての主流路１３３０と、複数個所において主流路１３３０に接続された第２の区分領域としての容量部１３３５とを有する。主流路１３３０は、例えば、５００〜３，０００μｍの内径を有していてもよい。主流路１３３０には、８つの単位辺が４５°ずつ等間隔で設けられたクロス状表面増加部１３４１が設けられている。かかるクロス状表面増加部１３４１は、主流路１３３０の軸方向に複数配列されていてもよい。
【００８７】
容量部１３３５は、香料カートリッジ１３００の周方向断面上での断面積が、主流路１３３０の断面積よりも大きくされている。例えば、容量部１３３５は、本体部１３０２の円周方向に沿う長軸を有する長円形状の断面を有してもよい。この場合、長円形状の断面の短軸方向の長さが５０〜３，０００μｍであり、長軸方向の長さが１００〜６，０００μｍであってもよい。また、容量部１３３５は、長円形状の断面の長軸上に、プレート状表面増加部１３４３を有している。プレート状表面増加部１３４３は、香料カートリッジ１３００の径方向に所定の厚さを有し、香料カートリッジ１３００の軸方向に沿って形成されている。プレート状表面増加部１３４３の軸方向の長さは適宜設定され得る。例えば、５〜３，０００μｍの長さのプレート状表面増加部１３４３が、５〜３，０００μｍの隙間をもって複数配列されてもよい。
【００８８】
容量部１３３５は、複数の連通路１３３７を介して主流路１３３０に連通している一方、第１の開口部１３１３及び第２の開口部１３１４を介することなく本体部１３０２の外部に開放されていない。連通路１３３７は、例えば、５０〜３，０００μｍの内径を有してもよい。また、図示した例では、通風流路１３１０は４つの連通路１３３７を有するが、連通路１３３７の数は特に限定されない。また、複数の連通路１３３７が軸方向に配置される間隔は均一であってもよいし、不均一であってもよい。
【００８９】
かかる保持空間１３２０では、断面積の違いにより、主流路１３３０を空気が流れる際の圧力損失と、容量部１３３５を空気が流れる際の圧力損失とが異なっている。複数の連通路１３３７のうち、第１の開口部１３１３の最も近くに配置されている連通路１３３７ａは、主流路１３３０から容量部１３３５に向かって傾斜して形成されている。これにより、第１の開口部１３１３を介して通風流路１３１０内に供給された空気は、容量部１３３５にも導入されやすくなっている。
【００９０】
ここまでに説明した点以外、第３の変形例に係る香料カートリッジ１３００は、上記の実施形態に係る香料カートリッジ２００と同様に構成することができる。
【００９１】
第３の変形例に係る香料カートリッジ１３００においても、通風流路１３１０の保持空間１３２０は、空気が主として通過する主流路１３３０以外に、内表面に香料を湿潤状態で保持可能な容量部１３３５と、主流路１３３０と容量部１３３５とを連通する複数の連通路１３３７とを有する。したがって、通風流路１３１０の内部に湿潤状態で保持される香料の量を増加させることができる。したがって、香料カートリッジ１３００の使用期間を延ばすことができる。また、第３の変形例に係る香料カートリッジ１３００においても、主流路１３３０又は容量部１３３５の内部にクロス状表面増加部１３４１又はプレート状表面増加部１３４３が設けられる場合には、通風流路１３１０に保持される香料の量をさらに増加させることができる。
【００９２】
また、第３の変形例に係る香料カートリッジ１３００では、容量部１３３５を介して、主流路１３３０と、容量部１３３５との間を空気が行き来することができる。したがって、第２の開口部１３１４から放出される空気中の香り成分の濃度を高くすることができる。また、第３の変形例に係る香料カートリッジ１３００は、主流路１３３０、第１の開口部１３１３、及び第２の開口部１３１４の内径が、通風流路１３１０を流れる空気の圧力損失が著しく小さくならないように構成されている。したがって、高濃度の香り成分を含む空気の流量を確保することができ、効率的に香りを放出させることができる。
【００９３】
（３−４．第４の変形例）
図２４〜図２７は、第４の変形例に係る香料カートリッジ１４００の説明図である。図２４は、香料カートリッジ１４００を示す斜視図であり、本体部１４０２内に形成された６つの通風流路１４１０のうちの１つの通風流路１４１０が透過して示されている。また、図２５は、香料カートリッジ１４００を径方向に見た側面図であり、図２６は、香料カートリッジ１４００を軸方向に見た正面図である。また、図２７は、通風流路１４１０の構成を分かりやすく示した模式図である。
【００９４】
香料カートリッジ１４００は、本体部１４０２と、本体部１４０２の軸心を中心とする軸方向孔１４５０と、複数の通風流路１４１０とを有する。第４の変形例に係る香料カートリッジ１４００は、６つの通風流路１４１０を有するが、通風流路１４１０は１つであってもよく、４つ以下あるいは６つ以上であってもよい。第４の変形例に係る香料カートリッジ１４００の通風流路１４１０は、保持空間１４２０と、保持空間１４２０を本体部１４０２の外部に連通する第１の開口部１４１３及び第２の開口部１４１４とを有する。
【００９５】
それぞれの通風流路１４１０において、第１の開口部１４１３及び第２の開口部１４１４は、本体部１４０２の軸方向の両端面に開口している。また、それぞれの保持空間１４２０は、香料カートリッジ１４００の軸方向に沿って形成された第１の区分領域としての主流路１４３０と、複数個所において主流路１４３０に接続された第２の区分領域としての容量部１４３５とを有する。主流路１４３０は、例えば、５００〜３，０００μｍの内径を有していてもよい。
【００９６】
容量部１４３５は、香料カートリッジ１４００の周方向断面上での断面積が、主流路１４３０の断面積よりも大きくされている。例えば、容量部１４３５は、香料カートリッジ１４００の周方向断面上の断面形状が略いちょう型であってもよい。また、各容量部１４３５の厚さ（香料カートリッジ１４００の軸方向に沿う方向の長さ）は、例えば、１０〜５，０００μｍであってもよい。主流路１４３０は、複数の容量部１４３５のそれぞれの中央部を貫通するように設けられている。通風流路１４１０に設けられる容量部１４３５の数は特に限定されない。また、複数の容量部１４３５が軸方向に配置される間隔は均一であってもよいし、不均一であってもよい。
【００９７】
かかる保持空間１４２０は、主流路１４３０を空気が流れる際の圧力損失は小さく、通風流路１４１０に供給された空気は主として主流路を流れる。一方、容量部１４３５は、主流路１４３０との接続部分以外は閉じられた空間となっており、空気が通過しにくくなっている。主流路１４３０を空気が流れる際に、容量部１４３５の内表面に浸潤状態で付着して保持された香料は少しずつ気化し、気化した香り成分が空気の流れに乗って第２の開口部１４１４から外部に放出される。主流路１４３０を流れる空気の一部を容量部１４３５側に入り込みやすくするために、主流路１４３０と容量部１４３５との接続部分の面積が大きくされてもよい。
【００９８】
ここまでに説明した点以外、第４の変形例に係る香料カートリッジ１４００は、上記の実施形態に係る香料カートリッジ２００と同様に構成することができる。
【００９９】
第４の変形例に係る香料カートリッジ１４００においても、通風流路１４１０の保持空間１４２０は、空気が主として通過する主流路１４３０以外に、内表面に香料を湿潤状態で保持可能な容量部１４３５を有する。したがって、通風流路１４１０の内部に湿潤状態で保持される香料の量を増加させることができる。したがって、香料カートリッジ１４００の使用期間を延ばすことができる。また、第４の変形例に係る香料カートリッジ１４００においても、主流路１４３０又は容量部１４３５の少なくとも一方の内部に表面増加部が設けられる場合には、通風流路１４１０に保持される香料の量をさらに増加させることができる。
【０１００】
また、第４の変形例に係る香料カートリッジ１４００では、容量部１４３５を介して、主流路１４３０と、容量部１４３５との間を空気が行き来することができる。したがって、第２の開口部１４１４から放出される空気中の香り成分の濃度を高くすることができる。また、第４の変形例に係る香料カートリッジ１４００は、主流路１４３０、第１の開口部１４１３、及び第２の開口部１４１４の内径が、通風流路１４１０を流れる空気の圧力損失が著しく小さくならないように構成されている。したがって、高濃度の香り成分を含む空気の流量を確保することができ、効率的に香りを放出させることができる。
【０１０１】
（３−５．第５の変形例）
図２８及び図２９は、上記実施形態に係る香料カートリッジ２００の保管時又は輸送時等の未使用時に貼付される封止部材２６０を備えた香料カートリッジ２００の例を示している。図２８は、封止部材２６０が貼付された香料カートリッジ２００の一例を示す説明図である。第５の変形例では、香料カートリッジ２００の通風流路２１０の第１の開口部２１３及び第２の開口部２１４が封止部材２６０によって封止されている。封止部材２６０は、香料カートリッジ２００の使用時に、香料カートリッジ２００から取り外される。これにより、香料カートリッジ２００の未使用時において、香料カートリッジ２００内へ外部から空気が侵入することを抑制することができる。したがって、香料の酸化を抑制することができる。
【０１０２】
封止部材２６０は、例えば、熱融着フィルムであってもよい。あるいは、封止部材２６０は、樹脂フィルムであって、接着剤等により香料カートリッジ２００の両端面に貼付されてもよい。また、封止部材２６０は、複数の第１の開口部２１３又は複数の第２の開口部２１４それぞれの全部又は一部を封止可能であってもよい。例えば、図２８に示したように、複数の第１の開口部２１３又は複数の第２の開口部２１４が、それぞれ１枚の封止部材２６０により封止されてもよい。
【０１０３】
あるいは、図２９に示したように、第１の開口部２１３又は第２の開口部２１４が、個別の封止部材２６０ａによりそれぞれ封止されてもよい。第１の開口部２１３及び第２の開口部２１４が個別に封止されることにより、香料カートリッジ２００の使用時において、ユーザの使用したい香料に対応する通風流路２１０の封止部材２６０ａを個別に香料カートリッジ２００から取り外すことができる。これにより、使用しない通風流路２１０の封止部材２６０ａを取り外すことなく香り提供装置を利用することができ、個々の通風流路２１０の香りの持続性を高めることができる。
【０１０４】
（３−６．第６の変形例）
図３０は、外周面に遮光部材２７０を備えた香料カートリッジ２００の例を示している。図３０は、第６の変形例に係る香料カートリッジ２００の構成の一例を示す説明図である。第６の変形例では、光を遮る部材である遮光部材２７０によって、香料カートリッジ２００の外周面の一部又は全部が覆われる。例えば、図３０に示したように、遮光部材２７０は、香料カートリッジ２００の未使用時において、香料カートリッジ２００のすべての外周面を覆うように設けられる。これにより、香料カートリッジ２００の未使用時において、香料カートリッジ２００内に保持される香料に対して、太陽光や照明光等の光が照射されることを抑制することができる。ゆえに、香料の酸化を抑制することができる。
【０１０５】
（３−７．第７の変形例）
図３１は、第７の変形例に係る香料カートリッジ２００を示す説明図である。第７の変形例に係る香料カートリッジ２００の通風流路２１０の第２の開口部２１４には、開口端へ向かうにつれて縮径するテーパ部２２１が設けられる。第２の開口部２１４がテーパ部２２１を備えることにより、第２の開口部２１４を介して放出される空気を絞ることができる。これにより、放出される空気の拡散を抑制することができる。したがって、放出される空気の直進性をより向上させることができ、香り提供装置１を個人使用に適した装置とし得る。
【０１０６】
なお、テーパ部２２１により第２の開口部２１４の縮径が開始される位置やテーパ部２２１のテーパ角は、第２の開口部２１４の寸法や通風流路２１０へ供給される空気の圧力等に応じて適宜設定され得る。また、第２の開口部２１４と連通するカバー１００の香り放出口１１２に先端側へ向かうにつれて縮径するテーパ部を設けることによっても、同様の効果を得ることができる。
【０１０７】
（３−７．第８の変形例）
図３２は、第８の変形例に係る香料カートリッジ２００を示す説明図である。第８の変形例に係る香料カートリッジ２００の通風流路２１０の第２の開口部２１４の内周面には、螺旋形状の溝２２３が設けられる。第２の開口部２１４が螺旋溝２２３を備えることにより、第２の開口部２１４から放出される空気に旋回力が与えられ、ジャイロ効果により直進性が向上する。したがって、放出される空気の直進性をより向上させることができる。なお、螺旋溝２２３の数又は横断面形状は、図３２に示した例に限定されず、他の数又は他の横断面形状であってもよい。
【０１０８】
＜４．カバー及び保持部の保護構造＞
次に、香料カートリッジ２００を保持するカバー１００及び保持部４００の保護構造について説明する。上述のとおり、本実施形態に係る香り提供装置１では、通風流路２１０の内周面に、精油、あるいは、エタノールで希釈された精油等の液体の香料を湿潤状態で付着させた香料カートリッジ２００が使用され得る。かかる香料カートリッジ２００を保持するカバー１００又は保持部４００が有機高分子樹脂組成物により構成されている場合、香料カートリッジ２００から漏れ出る液体の香料や、気化した香料によって、カバー１００又は保持部４００が劣化するおそれがある。つまり、有機高分子樹脂組成物は薬剤耐性が低いために、液体の香料又は気化した香料により、いわゆるケミカルアタックを受けて、劣化するおそれがある。
【０１０９】
これに対して、カバー１００又は保持部４００それぞれの少なくとも内面に、撥油性の塗膜を積層し、又は、撥油性構造を設けることにより、香料によるケミカルアタックから、カバー１００又は保持部４００を保護することができる。カバー１００又は保持部４００は、それぞれ撥油性の塗膜及び撥油性構造をともに有してもよい。
【０１１０】
カバー１００又は保持部４００の少なくとも一方に対して撥油性の塗膜を積層する場合、当該撥油性の塗膜としては、例えば、フッ素樹脂を含む高分子材料が用いられ得る。かかるフッ素樹脂を含む高分子材料としては、例えば、ポリテトラフルオロエチレン、ポリクロロトリフルオロエチレン、ポリフッ化ビニリデン、ポリフッ化ビニル、ペルフルオロアルコキシフッ素樹脂、四フッ化エチレン・六フッ化プロピレン共重合体、エチレン・四フッ化エチレン共重合体、エチレン・クロロトリフルオロエチレン共重合体等が挙げられる。ただし、撥油性の塗膜は、上記の例示した塗膜に限られない。
【０１１１】
ここで、撥油性の塗膜の膜厚が薄すぎると、ケミカルアタックからの保護効果が不十分となる場合がある。一方、撥油性の塗膜の膜厚が厚すぎると、カバー１００又は保持部４００の生産効率が低下したり、生産コストが増大したりする場合がある。したがって、表面に積層される撥油性の塗膜の膜厚は、例えば０．１〜１００μｍとし得る。また、撥油性の塗膜は、カバー１００又は保持部４００のそれぞれにおいて、少なくとも香料カートリッジ２００を保持する内面に積層されていればよいが、カバー１００又は保持部４００のそれぞれにおいて、全面に積層されていてもよい。
【０１１２】
撥油性の塗膜の積層方法は特に限定されない。浸漬法又は吹き付け法等の適宜の方法により、カバー１００又は保持部４００の表面に撥油性の塗膜を積層することができる。
【０１１３】
また、カバー１００又は保持部４００の少なくとも一方の内面に撥油性構造を設ける場合、当該撥油性構造は、例えば、カバー１００又は保持部４００の表面に形成される微細構造により構成され得る。かかる微細構造は、例えば、１μｍ以下の凸部あるいは凹部により構成され得る。
【０１１４】
図３３〜図３５は、撥油性構造の例を示している。図３３に示す撥油性構造は、カバー１００又は保持部４００の表面に形成された矩形の凸部（あるいは凹部）１１の繰り返しパターンにより構成されている。また、図３４に示す撥油性構造は、カバー１００又は保持部４００の表面に形成された三角形の凸部１３の繰り返しパターンにより構成されている。さらに、図３５に示す撥油性構造は、カバー１００又は保持部４００の表面にナノパーティクル１５が付着されて構成されている。撥油性構造は、これらの凸部あるいは凹部の繰り返しパターンでなくてもよく、凸部あるいは凹部の形態や密度が部分的に異なっていてもよい。
【０１１５】
カバー１００又は保持部４００が、これらの撥油性の塗膜又は撥油性構造の少なくとも一方を有することにより、薬剤耐性が向上する。これにより、カバー１００又は保持部４００を、香料カートリッジ２００から漏れ出る液体の香料や、気化した香料によるケミカルアタックから保護することができる。
【０１１６】
＜５．香料流出防止構造＞
次に、カバー１００及び保持部４００の内部に保持される香料カートリッジ２００から液体の香料が漏出した際に、当該液体の香料がさらにカバー１００及び保持部４００の外部に流出することを防ぐための香料流出防止構造について説明する。
【０１１７】
例えば、香料カートリッジ２００が、通風流路２１０に対して液体の香料を再充填可能な再利用型の香料カートリッジである場合、カバー１００又は保持部４００のいずれかを取外して通風流路２１０に香料を注入する際に、通風流路２１０の他端側から香料が漏出することが考えられる。例えば、カバー１００を取り外して、通風流路２１０の前方側の端部から液体の香料を注入する場合に、図３６に示すように、香料カートリッジ２００のうち、保持部４００に保持された後方側の端部が、外周面に凹凸のない円筒形状となっていると、香料カートリッジ２００の通風流路２１０から液体の香料Ｌが漏出したときに、液体の香料Ｌは香料カートリッジ２００と保持部４００との隙間を伝って外部に流出し得る。
【０１１８】
香料カートリッジ２００と保持部４００との隙間が小さい場合には、毛細管現象によって液体の香料Ｌが外部に流出することも考えられる。液体の香料Ｌがカバー１００及び保持部４００のさらに外部に流出すると、周囲の構成部品を劣化させてしまったり、さらには、香り提供装置１の周囲の物や指等に香料を付着させてしまったりするおそれがある。
【０１１９】
図３７は、香料流出防止構造を適用した香料カートリッジ２００を示す説明図である。かかる香料流出防止構造は、香料カートリッジ２００のうち、保持部４００の内部に配置される部分の外周面に、周方向に延びる凹部２９０を有する。香料カートリッジ２００が、外周面に、かかる凹部２９０を有することにより、香料カートリッジ２００の通風流路２１０の後方側の端部から漏出する液体の香料は、香料カートリッジ２００と保持部４００との隙間を伝っていく途中で、凹部２９０内に捕集される。したがって、液体の香料が保持部４００のさらに外部まで流出することを防止することができる。
【０１２０】
香料流出防止構造としての凹部２９０の断面形状は特に限定されない。図３７に示したように台形状の断面であってもよく、半円形状、半だ円形状、矩形状、又は三角形状等、種々の形状が採用され得る。また、凹部２９０の幅あるいは深さについても、特に限定されない。凹部２９０は、保持部４００の内周面に対向する範囲に設けられればよい。また、凹部２９０は、香料カートリッジ２００の内部に設けられている通風流路２１０との間の構造部分の厚さが過度に薄くならないように設けられるとよい。また、香料カートリッジ２００の軸方向に沿って、複数の凹部が設けられてもよい。
【０１２１】
図３８は、香料カートリッジ２００の軸方向に沿って２つの凹部２９１，２９３を有する香料流出防止構造の例を示す説明図である。かかる香料流出防止構造では、香料カートリッジ２００と保持部４００との隙間を伝う液体の香料が１つ目の凹部２９１によって捕集される。また、仮に、液体の香料が１つ目の凹部２９１を飛び越えた場合には、当該液体の香料が２つ目の凹部２９３によって捕集される。したがって、かかる香料流出構造は、保持部４００の外部への液体の香料の流出をより確実に防止することができる。
【実施例】
【０１２２】
以下、上述した実施形態に係る香り提供装置１におけるカバー１００及び保持部４００の保護構造の例を説明する。以下の例では、香料カートリッジ２００を保持するカバー１００又は保持部４００の少なくとも一方の内面に撥油性の塗膜を積層する場合と積層しない場合とでのカバー１００又は保持部４００の劣化の有無を比較した。【０１２３】
例１〜５では、カバー１００又は保持部４００の構成材料として適用可能な高分子樹脂としてのＡＢＳ樹脂製の５個の試験片（５ｍｍ角、厚さ１ｍｍ）をフッ素コーティング剤（株式会社ハーベス製デュラサーフ（ＤＳ−５２１０Ｓ１３５））中に３分間浸漬させて、当該試験片にフッ素コーティングを行った。また、得られたそれぞれの試験片に対してアロマオイル（香料）を１ドロップずつ滴下してアルミパックに投入後、雰囲気温度６５°、相対湿度８０％ＲＨの条件下で１２時間保持した場合の各試験片の割れを目視により確認した。【０１２４】
また、例６〜１０では、例１〜５と同様にＡＢＳ樹脂製の５個の試験片を用いる一方、フッ素コーティングを行わずに、同一条件下で１２時間保持した場合の各試験片の割れを目視により確認した。結果を表１に示す。【０１２５】
【表１】
2018003218.tif 000003
【０１２６】
表１に示したように、試験片の表面にフッ素コーティングを施した例１〜５では割れが確認されなかった。一方、試験片の表面にフッ素コーティングを施していない例６〜１０ではすべて割れが確認された。したがって、カバー１００又は保持部４００の少なくとも内面にフッ素コーティングを施すことにより、液体の香料又は気化した香料によるケミカルアタックからカバー１００又は保持部４００を保護することができることが分かった。【０１２７】
以上説明したように、本開示の実施の形態に係る香料保持部材（香料カートリッジ）の通風流路は、本体部の内部に設けられた保持空間と、保持空間を本体部の外部に開放する第１の開口部及び第２の開口部とを備える。かかる通風流路の内面には、香料が湿潤状態で付着して保持される。したがって、香り提供装置１の大型化を回避しつつ、香りの持続性を向上させることができる。また、本実施形態に係る香料カートリッジは、大部分の香料が保持される保持空間に対して、第１の開口部及び第２の開口部を介して空気が導入され、あるいは、放出される。保持空間にはその内面に香料が付着して保持されるため、液体の香料が漏れ出るおそれがなく、第１の開口部及び第２の開口部の内径を比較的大きくすることができる。このため、通風流路を流れる空気の流量を増加させることができ、香りを効率的に放出させることができる。【０１２８】
また、本実施形態に係る香料カートリッジにおいて、保持空間が、内表面を増加させる表面増加部を有する場合には、保持空間内に保持可能な香料の量をさらに増加させることができる。したがって、香り提供装置１の大型化を回避しつつ、香りの持続性をさらに向上させることができる。【０１２９】
以上、添付図面を参照しながら本開示の好適な実施形態について詳細に説明したが、本開示の技術的範囲は係る例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。【０１３０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。【０１３１】
なお、以下のような構成も本開示の技術的範囲に属する。
（１）本体部の内部に設けられて香料を保持する保持空間と、
前記保持空間を前記本体部の外部に開放する第１の開口部及び第２の開口部と、
を備え、
前記保持空間、前記第１の開口部、及び前記第２の開口部が通風流路を構成する香料保持部材。
（２）前記保持空間は、直径が３，０００μｍ以下の区分領域を有する、前記（１）に記載の香料保持部材。
（３）前記保持空間は、直径が１，０００μｍ以下の区分領域を有する、前記（２）に記載の香料保持部材。
（４）前記保持空間は、それぞれ直径が３，０００μｍ以下の複数の区分領域が結合されて構成される、前記（１）〜（３）のいずれか１項に記載の香料保持部材。
（５）前記複数の流路構造は、直径が１，０００μｍ以下の区分領域を少なくとも１つ含む、前記（４）に記載の香料保持部材。
（６）前記保持空間は、通風時の圧力損失が異なる複数の区分領域を有する、前記（１）〜（５）のいずれか１項に記載の香料保持部材。
（７）前記圧力損失が異なる前記複数の区分領域は、通風の流れに対して並列に設けられる、前記（６）に記載の香料保持部材。
（８）前記複数の区分領域は、少なくとも１つの区分領域内に、前記通風流路の表面積を増加させるための表面増加部を有することにより前記圧力損失が異なる、前記（６）又は（７）に記載の香料保持部材。
（９）前記表面増加部は、前記区分領域の所定の軸回りに回転対称となる構造部、前記区分領域の所定の軸方向に並進対称となる構造部、又は、前記区分領域の所定の軸方向に鏡映対称となる構造部を有する、前記（８）に記載の香料保持部材。
（１０）前記表面増加部は、前記区分領域の所定の軸で交差するクロス状の構造部を含む、前記（８）又は（９）に記載の香料保持部材。
（１１）前記複数の区分領域は、流路断面積が異なることにより前記圧力損失が異なる、前記（６）〜（１０）のいずれか１項に記載の香料保持部材。
（１２）前記本体部が有機高分子材料からなり、前記香料が前記本体部に浸潤して保持される、前記（１）〜（１１）のいずれか１項に記載の香料保持部材。
（１３）前記保持空間、前記第１の開口部、及び前記第２の開口部により構成される前記通風流路を複数備え、
複数の前記第１の開口部又は前記第２の開口部の少なくとも一方が、前記香料保持部材の所定の中心軸の周りに等間隔に配置される、前記（１）〜（１２）のいずれか１項に記載の香料保持部材。
（１４）複数の前記第１の開口部又は前記第２の開口部の少なくとも一方が、前記香料保持部材の前記所定の中心軸の軸方向の両端面に配置される、前記（１３）に記載の香料保持部材。
（１５）前記第１の開口部又は前記第２の開口部を封止する封止部材を備える、前記（１）〜（１４）のいずれか１項に記載の香料保持部材。
（１６）本体部の内部に設けられて香料を保持する保持空間と、前記保持空間を前記本体部の外部に開放する第１の開口部及び第２の開口部と、により構成される通風流路を有する香料保持部材と、
前記通風流路へ空気を供給する送風源と、
を備える香り提供装置。
【符号の説明】
【０１３２】
１        香り提供装置
２００    香料保持部材（香料カートリッジ）
２０２    本体部
２１０    通風流路
２１３    第１の開口部
２１４    第２の開口部
２５０    保持空間
２５１    第１の区分領域
２５３    第２の区分領域
２５５    第３の区分領域
【図１】
2018003218.tif 000004
【図２】
2018003218.tif 000005
【図３】
2018003218.tif 000006
【図４】
2018003218.tif 000007
【図５】
2018003218.tif 000008
【図６】
2018003218.tif 000009
【図７】
2018003218.tif 000010
【図８】
2018003218.tif 000011
【図９】
2018003218.tif 000012
【図１０】
2018003218.tif 000013
【図１１】
2018003218.tif 000014
【図１２】
2018003218.tif 000015
【図１３】
2018003218.tif 000016
【図１４】
2018003218.tif 000017
【図１５】
2018003218.tif 000018
【図１６】
2018003218.tif 000019
【図１７】
2018003218.tif 000020
【図１８】
2018003218.tif 000021
【図１９】
2018003218.tif 000022
【図２０】
2018003218.tif 000023
【図２１】
2018003218.tif 000024
【図２２】
2018003218.tif 000025
【図２３】
2018003218.tif 000026
【図２４】
2018003218.tif 000027
【図２５】
2018003218.tif 000028
【図２６】
2018003218.tif 000029
【図２７】
2018003218.tif 000030
【図２８】
2018003218.tif 000031
【図２９】
2018003218.tif 000032
【図３０】
2018003218.tif 000033
【図３１】
2018003218.tif 000034
【図３２】
2018003218.tif 000035
【図３３】
2018003218.tif 000036
【図３４】
2018003218.tif 000037
【図３５】
2018003218.tif 000038
【図３６】
2018003218.tif 000039
【図３７】
2018003218.tif 000040
【図３８】
2018003218.tif 000041
【国際調査報告】
2018003218.tif 000042
2018003218.tif 000043
2018003218.tif 000044
2018003218.tif 000045